Podtech/llm-jp-corpus-v4-ja_patent huggingface dataset:
【手続補正書】
【提出日】平成28年9月5日(2016.9.5)
【手続補正１】
【補正対象書類名】特許請求の範囲
【補正対象項目名】全文
【補正方法】変更
【補正の内容】
【特許請求の範囲】
【請求項１】
（ａ）イソシアネート、
（ｂ）イソシアネートに対して反応性である基を有する化合物、
（ｃ）発泡剤、
（ｄ）触媒、
（ｅ）１種以上の泡安定剤、及び任意に
（ｆ）さらなる添加剤
を混合し、反応混合物を形成し、前記反応混合物を補強材に塗布し、前記反応混合物を硬化することによって得られる硬質ポリウレタンフォームであって、
前記イソシアネート（ａ）が、２５℃で、６００ｍＰａｓ以下の粘度を有し、前記イソシアネートに対して反応性である基を有する化合物（ｂ）が、
（ｂ１）（ｂ）の総質量に基づいて４５〜７０質量％の、２．５以下の官能価、及び２２０ｍｇＫＯＨ／ｇより大きいヒドロキシル価を有する芳香族ポリエステルポリオール、
（ｂ２）（ｂ）の総質量に基づいて２０〜４０質量％の、４以上の官能価、及び４００ｍｇＫＯＨ／ｇより大きいヒドロキシル価を有するポリエーテルポリオール、及び
（ｂ３）（ｂ）の総質量に基づいて１５質量％より多い、１種以上の低分子量鎖延長剤、及び／又は１種以上の架橋剤、及び／又は１種以上のｏ−トルエンジアミン開始ポリエーテルポリオールを含み、且つ
前記発泡剤が、１−クロロ−３，３，３−トリフルオロプロペンを含むことを特徴とする硬質ポリウレタンフォーム。
【請求項２】
７５〜２００ｇ／Ｌのフリーライズ密度を有する請求項１に記載の硬質ポリウレタンフォーム。
【請求項３】
２５℃で、６００ｍＰａｓ以下の粘度を有するイソシアネート成分として、高分子ジフェニルメタンジイソシアネート、又は粗ジフェニルメタンジイソシアネートが、使用される請求項１又は２に記載の硬質ポリウレタンフォーム。
【請求項４】
少なくとも９０質量％のポリオールが、５０ｍｇＫＯＨ／ｇより大きいＯＨ価を有する請求項１〜３のいずれか１項に記載の硬質ポリウレタンフォーム。
【請求項５】
全てのポリオールが、１３０００ｍＰａｓ（２５℃）未満の粘度を有する請求項１〜４のいずれか１項に記載の硬質ポリウレタンフォーム。
【請求項６】
成分ｂ）が、５０００ｍＰａｓ（２５℃）未満の粘度を有する請求項１〜５のいずれか１項に記載の硬質ポリウレタンフォーム。
【請求項７】
成分（ｂ１）〜（ｂ３）のポリオール混合物のモル平均ＯＨ−官能価が、２．３及び３．３の間であるか、又は前記ポリオール混合物、及び前記イソシアネート成分のＯＨ、及びＮＣＯのモル平均合計官能価が、２．５及び３．０の間である請求項１〜６のいずれか１項に記載の硬質ポリウレタンフォーム。
【請求項８】
成分（ｂ１）〜（ｂ３）のポリオール混合物の芳香族含有量が、前記ポリオール中のベンゼン単位に基づいて、１３質量％より多い請求項１〜７のいずれか１項に記載の硬質ポリウレタンフォーム。
【請求項９】
補強材なしで、前記ポリウレタンフォームの平均密度が、８０〜１５０ｇ／ｌの範囲である請求項１〜８のいずれか１項に記載の硬質ポリウレタンフォーム。
【請求項１０】
補強材なしで、前記ポリウレタンフォームの平均密度が、８０〜１２０ｇ／ｌの範囲である請求項９に記載の硬質ポリウレタンフォーム。
【請求項１１】
第三級アミンのみを含む触媒混合物が、触媒（ｄ）として使用される請求項１〜１０のいずれか１項に記載の硬質ポリウレタンフォーム。
【請求項１２】
補強材を含む前記硬質ポリウレタンフォームの総質量に基づいて、補強材としてガラス繊維マットを、５〜１５質量％の量で含む請求項１〜１１のいずれか１項に記載の硬質ポリウレタンフォーム。
【請求項１３】
前記発泡剤（ｃ）が、少なくとも９０ｍｏｌ％の１−クロロ−３，３，３−トリフルオロプロペンを含む請求項１〜１２のいずれか１項に記載の硬質ポリウレタンフォーム。
【請求項１４】
前記発泡剤（ｃ）が、１−クロロ−３，３，３−トリフルオロプロペンからなる請求項１３に記載の硬質ポリウレタンフォーム。
【請求項１５】
請求項１〜１４のいずれか１項に記載の硬質ポリウレタンフォームを製造するための方法であって、
（ａ）イソシアネート、
（ｂ）イソシアネートに対して反応性である基を有する化合物、
（ｃ）発泡剤、
（ｄ）触媒、
（ｅ）１種以上の泡安定剤、及び任意に
（ｆ）さらなる添加剤
を混合し、反応混合物を形成する工程、前記反応混合物を補強材に塗布する工程、及び前記反応混合物を硬化する工程を含み、
前記イソシアネート（ａ）が、２５℃で、６００ｍＰａｓ以下の粘度を有し、前記イソシアネートに対して反応性である基を有する化合物（ｂ）が、
（ｂ１）（ｂ）の総質量に基づいて４５〜７０質量％の、２．５以上の官能価、及び２５０ｍｇＫＯＨ／ｇより大きいヒドロキシル価を有する芳香族ポリエステルポリオール、
（ｂ２）（ｂ）の総質量に基づいて２０〜４０質量％の、４より大きい官能価、及び４００ｍｇＫＯＨ／ｇより大きいヒドロキシル価を有するポリエーテルポリオール、及び
（ｂ）（ｂ）の総質量に基づいて１５質量％より多い、１種以上の低分子量鎖延長剤、及び／又は１種以上の架橋剤、及び／又は１種以上のｏ−トルエンジアミン開始ポリエーテルポリオールを含み、且つ
前記発泡剤が、１−クロロ−３，３，３−トリフルオロプロペン（「ＦＴＰ」）を含むことを特徴とする方法。
【請求項１６】
請求項１〜１４のいずれか１項に記載の硬質ポリウレタンフォームを含む液化天然ガスタンク用の断熱材。
【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
（ｉ）ウイルス由来ペプチドである、Ｔ細胞抗原、および
（ｉｉ）ＣＤ３０Ｌ、抗ＣＤ３０抗体、またはその抗原結合性フラグメントである、ＣＤ３０の結合パートナー
を含む作用物質であって、
該作用物質がＣＤ３０を発現する細胞に結合した後、該作用物質が内部移行し、該Ｔ細胞抗原が、Ｔ細胞によって認識されうる形態で該細胞の表面に提示され、および、さらに
該作用物質が細胞外分子によって切断可能な部位を含まない、作用物質。
【請求項２】
前記Ｔ細胞抗原が、ＣＤ３０の前記結合パートナーに付着し、その結果前記Ｔ細胞抗原が、ＣＤ３０を発現する前記細胞内で前記結合パートナーから放出されうる、任意選択で、前記Ｔ細胞抗原が、細胞内プロテアーゼによって前記結合パートナーから放出されうる、請求項１に記載の作用物質。
【請求項３】
前記作用物質が、ＣＤ３０を発現する細胞に結合した後、前記作用物質が内部移行し、前記Ｔ細胞抗原が、ＭＨＣ分子またはグループＩ  ＣＤ１分子に結合することによって前記細胞の表面に提示される、請求項２に記載の作用物質。
【請求項４】
ＣＤ３０の前記結合パートナーが、抗体、ホルモン、増殖因子、サイトカイン、または受容体リガンドのいずれかである、請求項１から３のいずれか１項に記載の作用物質。
【請求項５】
前記Ｔ細胞抗原が、対象における既存のＴ細胞応答を誘発することができるものである、または前記Ｔ細胞抗原が、ペプチド、ポリペプチド、ホスホペプチド、またはリン脂質もしくはスフィンゴ脂質などの脂質のいずれかであり、
任意選択で、（ｉ）前記Ｔ細胞抗原が、エプスタインバーウイルス（例えば、ＨＨＶ４）、サイトメガロウイルス（例えば、ヒトサイトメガロウイルス）、水痘帯状疱疹ウイルス、単純ヘルペスウイルス、アデノウイルス、ライノウイルス、インフルエンザウイルスのいずれかに由来し、または破傷風トキソイドなどのワクチンに由来する、および／または、
（ｉｉ）前記Ｔ細胞抗原が、ＭＨＣクラスＩＩ拘束性抗原、またはグループＩ  ＣＤ１分子に結合することができる抗原である、請求項１から４のいずれか１項に記載の作用物質。
【請求項６】
医療で使用するための、請求項１から５のいずれか１項に記載の作用物質。
【請求項７】
請求項１から５のいずれか１項に記載の作用物質、および薬学的に許容される担体、希釈剤、または賦形剤を含む医薬組成物。
【請求項８】
ＣＤ３０を発現する細胞の存在によって特徴付けられる状態の予防または処置において使用するための、請求項１から５のいずれか１項に記載の作用物質。
【請求項９】
（ｉ）請求項１から５のいずれか１項に記載の作用物質、および（ｉｉ）さらなる治療剤を含む組成物またはキットオブパーツ。
【請求項１０】
ＣＤ３０を発現する細胞の存在によって特徴付けられる状態の予防または処置において使用するための、請求項１から５のいずれか１項に記載の作用物質およびさらなる治療剤。
【請求項１１】
前記対象がさらなる治療剤も投与される、ＣＤ３０を発現する細胞の存在によって特徴付けられる状態の予防または処置において使用するための請求項１から５のいずれか１項に記載の作用物質。
【請求項１２】
ＣＤ３０を発現する細胞の存在によって特徴付けられる前記状態が、腫瘍（良性もしくは悪性）または自己免疫状態のいずれかである、請求項１から５、８、１０および１１のいずれか１項に記載の作用物質、または請求項７もしくは９に記載の組成物もしくはキットオブパーツ。
【請求項１３】
ＣＤ３０を発現する細胞の存在によって特徴付けられる前記状態が腫瘍であり、前記作用物質中の前記Ｔ細胞抗原がペプチドである、請求項１から５、８、１０、１１および１２のいずれか１項に記載の作用物質、または請求項７、９および１２のいずれか１項に記載の組成物もしくはキットオブパーツ。
【請求項１４】
前記治療剤が、ＣＤ３０を発現する細胞の存在によって特徴付けられる前記状態を予防または処置するのに適しているものである、請求項９、１２、および１３のいずれか１項に記載の組成物もしくはキットオブパーツ、または請求項１０から１３のいずれか１項に記載の作用物質。
【請求項１５】
前記さらなる治療剤が、ワクチン、免疫刺激薬、生ウイルス、抗がん剤、本発明の作用物質に対する抗体応答の阻害剤、およびプロテアーゼ阻害剤のいずれか１種または複数である、請求項９および１２から１４のいずれか１項に記載の組成物もしくはキットオブパーツ、または請求項１０から１４のいずれか１項に記載の作用物質。
【手続補正書】
【提出日】平成28年7月8日(2016.7.8)
【手続補正１】
【補正対象書類名】特許請求の範囲
【補正対象項目名】請求項８
【補正方法】変更
【補正の内容】
【請求項８】
請求項１〜６のいずれか一項に記載の式Ｉで表される化合物、ならびに／または、その薬学的に許容し得る塩、溶媒和物、鏡像異性体、互変異性体もしくは立体異性体、あらゆる比率のそれらの混合物の少なくとも１種、および任意に、薬学的に許容し得る担体、賦形剤またはビヒクルを含む医薬。
【手続補正２】
【補正対象書類名】特許請求の範囲
【補正対象項目名】請求項９
【補正方法】変更
【補正の内容】
【請求項９】
炎症状態、免疫学的状態、自己免疫状態、アレルギー状態、リウマチ状態、血栓性状態、がん、感染症、神経変性疾患、神経炎症性疾患、心血管病、およびメタボリック状態の処置および／または防止のための、請求項８に記載の医薬。
【手続補正３】
【補正対象書類名】特許請求の範囲
【補正対象項目名】請求項１０
【補正方法】変更
【補正の内容】
【請求項１０】
がんの処置および／または防止のための請求項９に記載の医薬であって、
ここで処置するべき癌が固形腫瘍または血液および免疫系の腫瘍である、前記医薬。
【手続補正４】
【補正対象書類名】特許請求の範囲
【補正対象項目名】請求項１１
【補正方法】変更
【補正の内容】
【請求項１１】
固形腫瘍が上皮、膀胱、胃、腎臓、頭頸部、食道、子宮頸部、甲状腺、腸、肝臓、脳、前立腺、尿生殖路、リンパ系、胃、喉頭、軟骨肉腫およびユーイング肉腫を含む骨、胚組織腫瘍を含む生殖細胞、および／または肺の腫瘍の群から、単球性白血病、肺腺癌、小細胞肺癌、膵臓癌、神経膠芽腫、神経線維腫、血管肉腫、乳癌および／または悪性黒色腫の群に由来する、請求項１０に記載の医薬。
【手続補正５】
【補正対象書類名】特許請求の範囲
【補正対象項目名】請求項１２
【補正方法】変更
【補正の内容】
【請求項１２】
関節リウマチ、全身性ループス、喘息、多発性硬化症、骨関節炎、虚血傷害、巨細胞性動脈炎、炎症性腸疾患、糖尿病、嚢胞性線維症、乾癬、シェーグレン症候群および移植器官拒絶の群から選択された疾患の処置および／または防止のための、請求項９に記載の医薬。
【手続補正６】
【補正対象書類名】特許請求の範囲
【補正対象項目名】請求項１３
【補正方法】変更
【補正の内容】
【請求項１３】
アルツハイマー病、ダウン症候群、アミロイドーシス−オランダ型を有する遺伝性脳出血、脳アミロイド血管症、クロイツフェルト・ヤコブ病、前頭側頭型認知症、ハンチントン病、パーキンソン病の群から選択された疾患の処置および／または防止のための、請求項９に記載の医薬。
【手続補正７】
【補正対象書類名】特許請求の範囲
【補正対象項目名】請求項１４
【補正方法】変更
【補正の内容】
【請求項１４】
リーシュマニア、らい菌、結核菌および／またはマイコバクテリウム・アビウム、リーシュマニア、マラリア原虫、ヒト免疫不全ウィルス、エプスタイン・バーウイルス、単純ヘルペスウイルス、Ｃ型肝炎ウイルスを含むマイコバクテリアの群から選択された疾患の処置および／または防止のための、請求項９に記載の医薬。
【手続補正８】
【補正対象書類名】特許請求の範囲
【補正対象項目名】請求項１５
【補正方法】変更
【補正の内容】
【請求項１５】
請求項１〜６のいずれか一項に記載の式Ｉで表される化合物、ならびに／または、その薬学的に許容し得る塩、溶媒和物、鏡像異性体、互変異性体および立体異性体、あらゆる比率のそれらの混合物、ならびに少なくとも１種のさらなる医薬活性材料を含む医薬。
【手続補正９】
【補正対象書類名】特許請求の範囲
【補正対象項目名】請求項１６
【補正方法】変更
【補正の内容】
【請求項１６】
（ａ）有効量の請求項１〜６のいずれか一項に記載の式Ｉで表される化合物、ならびに／または、それらの薬学的に許容し得る塩、溶媒和物、鏡像異性体、互変異性体および立体異性体、あらゆる比率のそれらの混合物
ならびに
（ｂ）有効量のさらなる医薬活性成分
の別箇のパックからなるセット（キット）。
【手続補正書】
【提出日】平成28年8月29日(2016.8.29)
【手続補正１】
【補正対象書類名】特許請求の範囲
【補正対象項目名】全文
【補正方法】変更
【補正の内容】
【特許請求の範囲】
【請求項１】
式：
【化１】
2015529681.tif 000001
の化合物、またはその薬学的に許容可能な塩、またはその水和物。
【請求項２】
リン酸二水素２−（（４−（ベンゾ［ｄ］チアゾール−５−イルアミノ）−６−（ｔｅｒｔ−ブチルスルホニル）キナゾリン−７−イル）オキシ）エチルである、請求項１に記載の化合物、またはその薬学的に許容可能な塩、またはその水和物。
【請求項３】
前記化合物の薬学的に許容可能な塩である、請求項１に記載の化合物、またはその薬学的に許容可能な塩、またはその水和物。
【請求項４】
薬学的に許容可能な塩がナトリウム塩である、請求項３に記載の化合物、またはその薬学的に許容可能な塩、またはその水和物。
【請求項５】
薬学的に許容可能な塩が塩酸塩である、請求項３に記載の化合物、またはその薬学的に許容可能な塩、またはその水和物。
【請求項６】
リン酸二水素２−（（４−（ベンゾ［ｄ］チアゾール−５−イルアミノ）−６−（ｔｅｒｔ−ブチルスルホニル）キナゾリン−７−イル）オキシ）エチル塩酸塩一水和物である、請求項１に記載の化合物、またはその薬学的に許容可能な塩、またはその水和物。
【請求項７】
図２のＰＸＲＤを備えた結晶性のリン酸二水素２−（（４−（ベンゾ［ｄ］チアゾール−５−イルアミノ）−６−（ｔｅｒｔ−ブチルスルホニル）キナゾリン−７−イル）オキシ）エチル塩酸塩一水和物である、請求項１に記載の化合物、またはその薬学的に許容可能な塩、またはその水和物。
【請求項８】
薬学的に許容可能な塩がカルシウム塩である、請求項３に記載の化合物、またはその薬学的に許容可能な塩、またはその水和物。
【請求項９】
前記化合物のカルシウム塩の水和物である、請求項１に記載の化合物、またはその薬学的に許容可能な塩、またはその水和物。
【請求項１０】
前記化合物のヘミカルシウム塩の水和物である、請求項１に記載の化合物、またはその薬学的に許容可能な塩、またはその水和物。
【請求項１１】
式：
【化２】
2015529681.tif 000002
の化合物のヘミカルシウム塩の三水和物である、該化合物、またはその薬学的に許容可能な塩、またはその水和物。
【請求項１２】
図１のＰＸＲＤを備えた結晶性のリン酸水素カルシウム（Ｉ）２−（（４−（ベンゾ［ｄ］チアゾール−５−イルアミノ）−６−（ｔｅｒｔ−ブチルスルホニル）キナゾリン−７−イル）オキシ）エチル三水和物である、請求項１１に記載の化合物のヘミカルシウム塩の三水和物。
【請求項１３】
請求項１に記載の化合物、またはその薬学上許容可能な塩、またはその水和物と、薬学的に許容可能な賦形剤とを含んでなる医薬組成物。
【請求項１４】
請求項１１に記載の化合物のヘミカルシウム塩の三水和物と、薬学的に許容可能な賦形剤とを含んでなる医薬組成物。
【請求項１５】
ＲＩＰ２キナーゼにより媒介される疾患を治療するための、請求項１３または１４に記載の医薬組成物であって、該疾患が、ブドウ膜炎、皮膚炎、急性肺傷害、２型真性糖尿病、関節炎、関節リウマチ、潰瘍性大腸炎、クローン病、早期発症炎症性腸疾患、腸管外炎症性腸疾患、臓器移植における虚血性再潅流傷害の予防、非アルコール性脂肪性肝炎、自己免疫性肝炎、喘息、全身性紅斑性狼瘡、多発性硬化症、類肉腫症、ブラウ症候群／早期発症類肉腫症、ウェゲナー肉芽腫症、および間質性肺疾患から選択される、医薬組成物。
【請求項１６】
前記疾患が、ブドウ膜炎、ブラウ症候群、早期発症類肉腫症、潰瘍性大腸炎、クローン病、ウェゲナー肉芽腫症および類肉腫症から選択される、請求項１３または１４に記載の医薬組成物。
【請求項１７】
前記疾患が、クローン病、潰瘍性大腸炎、ブラウ症候群、または関節リウマチである、請求項１３または１４に記載の医薬組成物。
【手続補正書】
【提出日】平成28年8月1日(2016.8.1)
【手続補正１】
【補正対象書類名】明細書
【補正対象項目名】０１１６
【補正方法】変更
【補正の内容】
【０１１６】
本発明の範囲及び趣旨から逸脱しない本発明の様々な変更及び改変は、当業者には明らかであろう。
本発明の実施態様の一部を以下の項目１−２９に列記する。
[１]
ＨＬＢ法を用いて決定されるときに１０以下の親水性−親油性バランスを有する疎水性ビヒクル中に可溶化されたグルコン酸クロルヘキシジンを含む、組成物。
[２]
前記疎水性ビヒクルが、２つの隣接した水素結合基を含み、前記水素結合基のうちの少なくとも１つが水素供与体である、項目１に記載の組成物。
[３]
前記疎水性ビヒクルが、エステル基を含む、項目１に記載の組成物。
[４]
前記疎水性ビヒクルが、モノアシルグリセロールを含む、項目３に記載の組成物。
[５]
前記モノアシルグリセロールのアルキル基が、Ｃ８〜Ｃ１８アルキル基である、項目４に記載の組成物。
[６]
前記モノアシルグリセロールが、グリセロールモノカプリレート、グリセロールモノラウレート、グリセロールモノイソステアレート、グリセロールモノオレエート、及びこれらの組み合わせからなる群から選択される、項目５に記載の組成物。
[７]
前記疎水性ビヒクルが、エーテル基を含む、項目１に記載の組成物。
[８]
前記疎水性ビヒクルが、ジプロピレングリコールを含む、項目７に記載の組成物。
[９]
前記疎水性ビヒクルが、グリセリルモノアルキルエーテルを含む、項目７に記載の組成物。
[１０]
前記グリセリルモノアルキルエーテルが、エチルヘキシルグリセリンである、項目９に記載の組成物。
[１１]
前記疎水性ビヒクルが、隣接したヒドロキシル基を有するアルコールを含む、項目１に記載の組成物。
[１２]
前記アルコールが、１，２−オクタンジオール、１，２−デカンジオール、及びこれらの組み合わせからなる群から選択される、項目１１に記載の組成物。
[１３]
前記組成物が、グルコン酸クロルヘキシジン１重量部当たり１重量部以下の親水性ビヒクルを含む、項目１〜１２のいずれか一項に記載の組成物。
[１４]
前記組成物が、グルコン酸クロルヘキシジン１重量部当たり０．１重量部以下の親水性ビヒクルを含む、項目１〜１３のいずれか一項に記載の組成物。
[１５]
前記組成物が、グルコン酸クロルヘキシジン１重量部当たり０．１重量部以下の水を含む、項目１〜１４のいずれか一項に記載の組成物。
[１６]
ポリマーを含む樹脂系を更に含む、項目１〜１５のいずれか一項に記載の組成物。
[１７]
前記樹脂系が疎水性相を含み、前記疎水性ビヒクルが前記疎水性相を可塑化する、項目１６に記載の組成物。
[１８]
前記ポリマーが、アクリレートポリマーを含む、項目１６又は１７のいずれかに記載の組成物。
[１９]
前記ポリマーが、ブロックコポリマーポリマーを含む、項目１６又は１７のいずれかに記載の組成物。
[２０]
前記樹脂系が、感圧接着剤である、項目１６〜１９のいずれか一項に記載の組成物。
[２１]
前記組成物が、前記組成物の総重量に基づいて、少なくとも０．２重量％のＣＨＧを含む、項目１〜２０のいずれか一項に記載の組成物。
[２２]
前記組成物が、前記組成物の総重量に基づいて、少なくとも０．５重量％であり５．０重量％以下のＣＨＧを含む、項目１〜２１のいずれか一項に記載の組成物。
[２３]
基材と、前記基材の表面の少なくとも一部に固着された、項目１〜２２のいずれか一項に記載の組成物と、を含む、物品。
[２４]
前記組成物が、感圧接着剤である、項目２３に記載の物品。
[２５]
前記基材が、フィルム、不織布、織布、及びこれらの組み合わせからなる群から選択される、項目２３又は２４のいずれかに記載の物品。
[２６]
前記基材が、ポリアルキレン、ポリエステル、ポリアミド、及びポリウレタンのうちの少なくとも１つを含む、項目２３〜２５のいずれか一項に記載の物品。
[２７]
前記物品が、医療用物品である、項目２３〜２６のいずれか一項に記載の物品。
[２８]
前記医療用物品が、覆布である、項目２７に記載の物品。
[２９]
前記医療用物品が、包帯である、項目２７に記載の物品。
【手続補正２】
【補正対象書類名】特許請求の範囲
【補正対象項目名】全文
【補正方法】変更
【補正の内容】
【特許請求の範囲】
【請求項１】
ＨＬＢ法を用いて決定されるときに１０以下の親水性−親油性バランスを有する疎水性ビヒクル中に可溶化されたグルコン酸クロルヘキシジンを含む、組成物。
【手続補正書】
【提出日】平成28年7月19日(2016.7.19)
【手続補正１】
【補正対象書類名】特許請求の範囲
【補正対象項目名】全文
【補正方法】変更
【補正の内容】
【特許請求の範囲】
【請求項１】
癌を処置するための組み合わせ医薬であって、
（ａ）トリプテリジウム・ウィルフォルディ（Tripterygium wilfordii）の有機溶媒抽出物、及び
（ｂ）化学療法剤
を含み、ここで前記癌は、前記化学療法剤（ｂ）単剤による処置に対して少なくとも部分的に耐性を有する、前記組み合わせ医薬。
【請求項２】
トリプテリジウム・ウィルフォルディの前記有機溶媒抽出物は、（ｉ）エタノール抽出物であり；そして（ｉｉ）図２に記載のＭＳ／ＬＣクロマトグラムによって同定可能である、請求項１に記載の組み合わせ医薬。
【請求項３】
前記癌は、乳癌、白血病又は前立腺癌である、請求項１に記載の組み合わせ医薬。
【請求項４】
前記化学療法剤（ｂ）は、ドセタキセル、ダウロルビシン（daurorubicin）、トラスツズマブ及びラパチニブからなる群から選択される、請求項１に記載の組み合わせ医薬。
【請求項５】
（ａ）の少なくとも一部が、（ｂ）の投与よりも前に投与される、請求項１に記載の組み合わせ医薬。
【請求項６】
（ａ）及び（ｂ）が同時投与される、請求項１に記載の組み合わせ医薬。
【請求項７】
単体で投与される時の（ｂ）の有効性を超える程度に、（ｂ）の有効性を増大させる量で（ａ）が投与される、請求項１に記載の組み合わせ医薬。
【請求項８】
化学療法用組成物であって、
（ａ）トリプテリジウム・ウィルフォルディの有機溶媒抽出物、及び（ｂ）化学療法剤の組み合わせ、ここで（ａ）及び（ｂ）は癌の処置に有効な併用量で投与される；並びに
薬学的に許容される担体
を含む、前記組成物。
【請求項９】
トリプテリジウム・ウィルフォルディの前記有機溶媒抽出物は、（ｉ）エタノール抽出物であり；そして（ｉｉ）図２に記載のＭＳ／ＬＣクロマトグラムによって同定可能である、請求項８に記載の組成物。
【請求項１０】
前記癌は、乳癌、白血病又は前立腺癌である、請求項８に記載の組成物。
【請求項１１】
前記化学療法剤（ｂ）は、ドセタキセル、ダウロルビシン（daurorubicin）、トラスツズマブ及びラパチニブからなる群から選択される、請求項８に記載の組成物。
【手続補正書】
【提出日】平成28年8月26日(2016.8.26)
【手続補正１】
【補正対象書類名】特許請求の範囲
【補正対象項目名】全文
【補正方法】変更
【補正の内容】
【特許請求の範囲】
【請求項１】
対象の行動性能を向上させる方法であって、
処置を必要とする該対象の自閉症スペクトラム障害（ＡＳＤ）関連代謝産物の血中レベルを判定することと、
該対象の行動性能の向上が観察されるまで該対象のＡＳＤ関連代謝産物の血中レベルを調整することと
を含む、方法。
【請求項２】
前記対象が、不安、自閉症スペクトラム障害（ＡＳＤ）、またはＡＳＤの症状の１つもしくは複数を伴う病的状態を患っている、請求項１に記載の方法。
【請求項３】
前記ＡＳＤ関連代謝産物の血中レベルを調整することが、前記対象の腸微生物叢の組成を調整すること、ＡＳＤ関連代謝産物のｉｎ  ｖｉｖｏ合成に関与する酵素を阻害すること、または、ＡＳＤ関連代謝産物に対する抗体、ＡＳＤ関連代謝産物のｉｎ  ｖｉｖｏ合成の中間体に対する抗体およびＡＳＤ関連代謝産物のｉｎ  ｖｉｖｏ合成の基質に対する抗体のうちの１つもしくは複数を前記対象に投与することを含む、請求項１または２に記載の方法。
【請求項４】
前記対象の腸微生物叢の組成を調整することが、糞便の移植、バクテロイデス属の細菌を含む組成物を該対象に投与すること、該対象のクロストリジア綱の細菌のレベルを低減すること、または該対象のルミノコッカス科、エリシペロトリクス科および／もしくはアルカリゲネス科の細菌のレベルを増加させることを含む、請求項３に記載の方法。
【請求項５】
前記バクテロイデス属の細菌が、Ｂ．フラジリス、Ｂ．テタイオタオミクロン、Ｂ．ブルガツス、またはそれらの混合物である、請求項４に記載の方法。
【請求項６】
前記組成物が、プロバイオティック組成物、栄養補助食品、医薬組成物、またはそれらの混合物である、請求項４に記載の方法。
【請求項７】
前記ＡＳＤ関連代謝産物が表１に掲載される代謝産物のうちの１つである、請求項１〜６のいずれか一項に記載の方法。
【請求項８】
前記ＡＳＤ関連代謝産物が、４−エチルフェニルスルフェート、インドリル−３−アクリロイルグリシン、セロトニン、インドールピルベート、グリコレート、Ｎ−アセチルセリンまたはイミダゾールプロピオネートである、請求項１〜６のいずれか一項に記載の方法。
【請求項９】
前記ＡＳＤ関連代謝産物の血中レベルを調整することが、前記対象の胃腸（ＧＩ）窮迫を改善するか、または前記対象の腸管透過性を低減する、請求項１〜８のいずれか一項に記載の方法。
【請求項１０】
前記ＧＩ窮迫が、腹部の痙攣、慢性下痢、便秘、腸管透過性またはそれらの組合せを含む、請求項９に記載の方法。
【請求項１１】
自閉症でない対象群のＡＳＤ関連代謝産物の参照レベルを判定すること、前記対象のＡＳＤ関連代謝産物の血中レベルを調整する前および後に該対象の行動性能を判定すること、またはそれらの両方をさらに含む、請求項１〜１０のいずれか一項に記載の方法。
【請求項１２】
前記対象の行動性能を判定することが、自閉症行動チェックリスト（ＡＢＣ）、自閉症診断インタビュー−改訂版（ＡＤＩ−Ｒ）、児童自閉症評価スケール（ＣＡＲＳ）および／または前言語自閉症診断観察スケジュール（ＰＬ−ＡＤＯＳ）を使用することを含む、請求項１１に記載の方法。
【請求項１３】
対象の行動性能を向上させる方法であって、
処置を必要とする対象の自閉症スペクトラム障害（ＡＳＤ）関連代謝産物の尿中レベルを判定することと、
該対象の行動性能の向上が観察されるまで該対象の該ＡＳＤ関連代謝産物の尿中レベルを調整することと
を含む、方法。
【請求項１４】
前記ＡＳＤ関連代謝産物が、４−メチルフェニル、４−メチルフェニルスルフェートまたはインドリル−３−アクリロイルグリシンである、請求項１３に記載の方法。
【請求項１５】
自閉症スペクトラム障害（ＡＳＤ）を患っている対象のプロバイオティック処置に対する感受性を評価する方法であって、
該対象のＢ．フラジリス応答性代謝産物の血中レベルを判定することと、
該対象のＢ．フラジリス応答性代謝産物の血中レベルを、ＡＳＤおよび１つまたは複数の胃腸障害を患っている対象群のＢ．フラジリス応答性代謝産物の参照レベルと比較することと
を含み、該対象の代謝産物の血中レベルと該参照レベルの間の実質的な同一性は、該対象がプロバイオティック処置に対して感受性であることを示す、方法。
【請求項１６】
前記対象の腸微生物叢の組成を調整することを含む、請求項１５に記載の方法。
【請求項１７】
対象の腸管透過性を低減することを含む、自閉症スペクトラム障害（ＡＳＤ）を患っている該対象の胃腸（ＧＩ）窮迫を軽減する方法。
【請求項１８】
前記ＧＩ窮迫が、腹部の痙攣、慢性下痢、便秘、腸管透過性またはそれらの組合せを含む、請求項１７に記載の方法。
【請求項１９】
対象の自閉症スペクトラム障害（ＡＳＤ）を診断する方法であって、
該対象の腸のサイトカインのレベルおよび１つまたは複数のＡＳＤ関連代謝産物の血中レベルを判定することと、
自閉症でない対象群の該サイトカインおよび該ＡＳＤ関連代謝産物の参照レベルと比較して、該対象の腸の該サイトカインのレベルおよび該ＡＳＤ関連代謝産物の少なくとも１つまたは複数の血中レベルに変化があるかどうか検出することと
を含み、該腸の該サイトカインの量および該１つまたは複数のＡＳＤ関連代謝産物のうちの少なくとも１つの血中レベルの変化は、該対象がＡＳＤを患っていることを示す、方法。
【請求項２０】
対象の自閉症スペクトラム障害（ＡＳＤ）を診断する方法であって、
該対象の２つ以上のＡＳＤ関連代謝産物の血中レベルを判定することと、
自閉症でない対象群の該ＡＳＤ関連代謝産物の参照レベルと比較して、該対象の２つ以上のＡＳＤ関連代謝産物の血中レベルに変化があるかどうか検出することと
を含み、該２つ以上のＡＳＤ関連代謝産物のうちの少なくとも２つの血中レベルの変化は、該対象がＡＳＤを患っていることを示す、方法。
【請求項２１】
前記ＡＳＤ関連代謝産物の１つまたは複数が、表１に掲載される代謝産物から選択される、請求項１５、１９および２０のいずれか一項に記載の方法。
【手続補正書】
【提出日】平成28年6月8日(2016.6.8)
【手続補正１】
【補正対象書類名】特許請求の範囲
【補正対象項目名】全文
【補正方法】変更
【補正の内容】
【特許請求の範囲】
【請求項１】
生物学的試料において、抗ＢＡＧ３抗体または抗ＢＡＧ３抗体が可溶性ＢＡＧ３に結合して形成された免疫複合体の存在を検出することによって特徴付けられた病理学的状態の診断の方法であって、
ａ．血清、血漿、尿、または唾液からなる生物学的試料を得るステップと、
ｂ．生物学的試料における抗ＢＡＧ３またはＢＡＧ３関連抗体の存在を決定するステップと、
を含み、
前記病理学的状態は、心臓疾患、癌、ならびに、炎症および炎症性関連疾患であって、皮膚、神経、骨、血管、および結合組織の炎症および炎症性関連疾患から選択され、および、
前記診断は、インビトロまたはエキソビボである、
ことを特徴とする方法。
【請求項２】
ｃ．生物学的試料から得た値を、基準値または健康な提供者から得た値と比較するステップ、
をさらに含むことを特徴とする請求項１に記載の方法。
【請求項３】
前記決定ステップｂは、ＥＬＩＳＡ検査により実施されることを特徴とする請求項１に記載の方法。
【請求項４】
前記血清、血漿、尿、または唾液は、哺乳類、好ましくはヒト由来であることを特徴とする請求項１から３のいずれか一項に記載の方法。
【請求項５】
前記心臓疾患は、狭心症、梗塞前狭心症、心筋梗塞、心不全、急性冠疾患、虚血、急性心不全、慢性心不全、または医原性心疾患から選択されることを特徴とする請求項１に記載の方法。
【請求項６】
前記癌は、膵癌、膀胱癌、および前立腺癌から選択されることを特徴とする請求項１に記載の方法。
【請求項７】
ＥＬＩＳＡキットの使用であって、
前記ＥＬＩＳＡキットは、ＢＡＧ３組換えタンパク質または可溶性ＢＡＧ３を捕捉するＢＡＧ３特異的マウスモノクローナル抗体ＡＣ−１、ＡＣ−２  ＡＣ−３、ＡＣ−４、ＡＣ−５、ＡＣ−ｒｂ１ａ、ＡＣ−ｒｂ１ｂ、ＡＣ−ｒｂ２ａ、ＡＣ−ｒｂ２ｂ、ＡＣ−ｒｂ３ａ、ＡＣ−ｒｂ３ｂ、ＡＣ−ｒｂ４ａ、およびＡＣ−ｒｂ４ｂ、ならびに、ヒト免疫グロブリンを認識することができる抗体を含み、
前記キットは、生物学的試料において可溶性ＢＡＧ３と結合して免疫複合体を形成する抗−ＢＡＧ３抗体または抗−ＢＡＧ３抗体の検出をするために用いられるものであることを特徴とするＥＬＩＳＡキットの使用。
【請求項８】
前記生物学的試料は、血清、血漿、尿、または唾液試料であることを特徴とする請求項７に記載の使用。
【請求項９】
前記血清、血漿、尿、または唾液試料は、哺乳類、好ましくはヒト由来であることを特徴とする請求項８に記載の使用。
【手続補正書】
【提出日】平成28年6月14日(2016.6.14)
【手続補正１】
【補正対象書類名】特許請求の範囲
【補正対象項目名】全文
【補正方法】変更
【補正の内容】
【特許請求の範囲】
【請求項１】
別個の機能性粒子で改変された充填剤粒子を含む改変充填剤粒子であって、前記別個の機能性粒子は、前記充填剤に、それらが後の製造工程の間会合したままであることができるように十分に結合しているか、接着しているか、または別の方法で会合している、改変充填剤粒子。
【手続補正２】
【補正対象書類名】明細書
【補正対象項目名】００３５
【補正方法】変更
【補正の内容】
【００３５】
ドライブレンドされた改変充填剤は、注型、溶融加工、粉末被覆、溶液加工、スリップキャスティング、テープキャスティング、振動締固め、圧縮成形、焼結、押出し、および射出成型などの液体プレポリマー以外のプロセスを用いてポリマーマトリックスと組み合わされ得る。
なお、本発明は、特許請求の範囲を含め、以下の発明を包含する。
１．別個の機能性粒子で改変された充填剤粒子を含む改変充填剤粒子であって、前記別個の機能性粒子は、前記充填剤に、それらが後の製造工程の間会合したままであることができるように十分に結合しているか、接着しているか、または別の方法で会合している、改変充填剤粒子。
２．前記別個の機能性粒子が、顔料粒子である、１に記載の改変充填剤粒子。
３．前記充填剤についての粒径分布が、０．１ミクロン〜１００ミクロンの範囲内にある、２に記載の改変充填剤粒子。
４．前記顔料粒子についての粒径分布が、０．００５ミクロン〜４ミクロンである、２に記載の改変充填剤粒子。
５．前記顔料粒子についての粒径分布が、０．１〜３ミクロンである、２に記載の改変充填剤粒子。
６．前記充填剤についての粒径分布が１０〜５０ミクロンの範囲内にあり、かつ前記顔料粒子についての粒径分布が０．０１〜３ミクロンの範囲内にある、２に記載の改変充填剤粒子。
７．前記充填剤粒子が、エネルギー吸収機能を付与する別個の機能性粒子で改変されており、前記別個の機能性粒子が、
ａ）紫外線吸収改変剤、
ｂ）赤外線吸収改変剤、
ｃ）高周波吸収改変剤、
ｄ）蛍光応答改変剤、
ｅ）リン光応答改変剤、
ｆ）熱変色性改変剤、
ｇ）相転移改変剤、または
ｈ）それらの任意の組み合わせ
からなる群から選択される、１に記載の改変充填剤粒子。
８．前記充填剤粒子が、機械的性質機能を付与する別個の機能性粒子で改変されており、前記別個の機能性粒子が、
ａ）表面硬度改変剤、
ｂ）減摩性改変剤、
ｃ）強度改変剤、
ｄ）靭性改変剤、
ｅ）耐衝撃性改変剤、
ｆ）耐引掻性改変剤、
ｇ）耐擦傷性改変剤、または
ｈ）それらの任意の組み合わせ
からなる群から選択される、１に記載の改変充填剤粒子。
９．前記充填剤粒子が、前記充填剤粒子の表面を改変する別個の機能性粒子で改変されており、前記別個の機能性粒子が、
ａ）耐汚染性改変剤、
ｂ）減摩性改変剤、
ｃ）周囲媒体への充填剤の付着性改変剤、
ｄ）吸収性改変剤、
ｅ）難燃剤、
ｆ）抗菌剤、
ｇ）自己清浄性の改変剤、
ｈ）前記改変充填剤粒子を含むポリマーマトリックスの自己加熱の改変剤、
ｉ）酸性度またはアルカリ性度改変剤、
ｊ）電気特性の改変剤、
ｋ）磁性の改変剤、または
ｌ）それらの任意の組み合わせ
からなる群から選択される、１に記載の改変充填剤粒子。
１０．前記充填剤粒子が、前記改変充填剤粒子が媒体に添加された場合に前記媒体に流体特性変化を付与する別個の機能性粒子で改変されており、前記別個の機能性粒子は、
ａ）界面張力改変剤、
ｂ）レオロジー改変剤、
ｃ）前記改変充填剤粒子の凝集状態の改変剤、
ｄ）前記改変充填剤粒子の充填効率の改変剤、
ｅ）相溶化剤、
ｆ）分散剤、または
ｇ）それらの任意の組み合わせ
からなる群から選択される、１に記載の改変充填剤粒子。
【手続補正書】
【提出日】平成28年6月14日(2016.6.14)
【手続補正１】
【補正対象書類名】特許請求の範囲
【補正対象項目名】全文
【補正方法】変更
【補正の内容】
【特許請求の範囲】
【請求項１】
別個の機能性粒子で改変された充填剤粒子を含む改変充填剤粒子を製造するための方法であって、前記方法は、充填剤粒子と顔料粒子とを、前記別個の機能性粒子が前記充填剤にそれらが充填剤入りポリマー材料を製造する際に使用される後の製造工程の間会合したままであることができるように十分に結合するか、接着するか、または別の方法で会合するまでミキサーでドライブレンドすることを含む、方法。
【手続補正２】
【補正対象書類名】明細書
【補正対象項目名】００３５
【補正方法】変更
【補正の内容】
【００３５】
ドライブレンドされた改変充填剤は、注型、溶融加工、粉末被覆、溶液加工、スリップキャスティング、テープキャスティング、振動締固め、圧縮成形、焼結、押出し、および射出成型などの液体プレポリマー以外のプロセスを用いてポリマーマトリックスと組み合わされ得る。
なお、本発明は、特許請求の範囲を含め、以下の発明を包含する。
１．別個の機能性粒子で改変された充填剤粒子を含む改変充填剤粒子を製造するための方法であって、前記方法は、充填剤粒子と顔料粒子とを、前記別個の機能性粒子が前記充填剤にそれらが充填剤入りポリマー材料を製造する際に使用される後の製造工程の間会合したままであることができるように十分に結合するか、接着するか、または別の方法で会合するまでミキサーでドライブレンドすることを含む、方法。
２．充填剤入りポリマー材料を製造する際に使用される前記後の製造工程が、溶融加工、粉末被覆、溶液加工、スリップキャスティング、テープキャスティング、振動締固め、圧縮成形、焼結、押出し、射出成形、またはそれらの任意の組合せから選択される、１に記載の方法。
３．充填剤入りポリマー材料を製造する際に使用される後の製造工程が、液体プレポリマー加工を含む、１に記載の方法。
【手続補正書】
【提出日】平成28年8月19日(2016.8.19)
【手続補正１】
【補正対象書類名】特許請求の範囲
【補正対象項目名】全文
【補正方法】変更
【補正の内容】
【特許請求の範囲】
【請求項１】
Ｘ線源及びＸ線の検出器と、
ソース格子、位相格子、及び分析格子を有し、前記ソース格子は前記Ｘ線源と前記位相格子との間に配置され、前記分析格子は前記位相格子と前記検出器との間に配置される、格子アレンジメントと、
検査中の対象物と少なくとも１つの格子との間の相対的移動のための移動アレンジメントと、
を具備する微分位相コントラストセットアップと、
処理ユニットと、
前記ソース格子を並進させるための並進アレンジメントと、
を有し、
前記位相格子、前記分析格子、及び前記検出器は、干渉計ユニット内に前記位相格子と前記分析格子とが互いに平行に据え付けられる固定の当該干渉計ユニットとして提供され、
前記ソース格子は、前記検出器の平面においてモアレ縞が検出可能であるように、前記干渉計ユニットに対して位置ずれされ、
前記処理ユニットは、Ｘ線放射に際して前記検出器によって提供される信号内のモアレパターンを検出し、
前記処理ユニットは更に、所定のモアレパターンを達成するために前記ソース格子を並進させるための並進信号を計算し、
前記並進アレンジメントは、少なくとも２πの位相変化が前記検出器のアレイの幅にわたるモアレ縞でカバーされるように前記ソース格子を位置ずれさせるために、前記並進信号の値に基づいて、前記ソース格子の位置決めを少なくともＸ線投射方向に調節する、
微分位相コントラスト撮像用のＸ線撮像システム。
【請求項２】
前記並進アレンジメントは、前記ソース格子を傾ける、請求項１に記載のＸ線撮像システム。
【請求項３】
前記並進アレンジメントは、前記Ｘ線源及び／又は前記検出器を位置合わせするための少なくとも１つのアクチュエータを有する、請求項１又は２に記載のＸ線撮像システム。
【請求項４】
前記少なくとも１つのアクチュエータは、
ｉ）圧電アクチュエータ及び／又は
ｉｉ）モータ駆動のマイクロメータねじ
として提供され、これら両方は約１マイクロメートル〜約１０ミリメートルの範囲での移動を提供する、請求項１乃至３の何れか一項に記載のＸ線撮像システム。
【請求項５】
検査中の対象物と少なくとも１つの格子との間の相対的移動のための移動アレンジメントが提供され、
ｉ）前記移動アレンジメントは、前記干渉計ユニットの少なくとも１つの格子をその格子面においてステッピングさせるためのステッピングアレンジメントとして提供され、又は
ｉｉ）対象物支持体が提供されて、前記対象物支持体と前記微分位相コントラストセットアップとの間の相対的移動が提供され、少なくとも１つの画像取得のためのスキャンの間、格子は互いに一定の位置合わせで提供され、
ｉｉ１）前記対象物支持体は固定されて提供され、前記微分位相コントラストセットアップがＸ線方向に対して横断方向に移動され、若しくは
ｉｉ２）前記微分位相コントラストセットアップは固定されて提供され、前記対象物支持体が前記Ｘ線方向に対して横断方向に移動される、
請求項１乃至４の何れか一項に記載のＸ線撮像システム。
【請求項６】
ａ）Ｘ線源と、Ｘ線の検出器と、ソース格子、位相格子、及び分析格子を有する格子アレンジメントと、を具備する微分位相コントラストセットアップを有する、微分位相コントラスト撮像用のＸ線撮像システムを用いて、少なくとも第１の微分位相コントラスト撮像のＸ線スキャン画像を取得するステップであって、ここでは前記ソース格子は、前記検出器の平面においてモアレ縞が検出可能であるように、干渉計ユニットに対して位置ずれされるステップと、
ｂ）Ｘ線放射に際して前記検出器によって提供される信号におけるモアレパターンを検出するステップと、
ｃ）所定のモアレパターンを達成するために、前記ソース格子を並進させるための移動信号を計算するステップと、
ｄ）少なくとも２πの位相変化が前記検出器のアレイの幅にわたるモアレ縞でカバーされるように前記ソース格子を位置ずれさせるために、前記移動信号に基づいて、前記ソース格子の位置決めを少なくともＸ線投射方向に調節するステップと、
ｅ）少なくとも１つの更なる微分位相コントラスト撮像のＸ線スキャン画像を取得するステップと、
を有する、微分位相コントラスト撮像用のＸ線撮像システムにおいて位置ずれを処理するための方法。
【請求項７】
処理ユニットによって実行されるときに、請求項６に記載の方法を実施する、請求項１乃至５の何れか一項に記載のＸ線撮像システムを制御するためのコンピュータプログラム。
【請求項８】
請求項７に記載のコンピュータプログラムを記憶したコンピュータ可読媒体。
【手続補正書】
【提出日】平成28年7月13日(2016.7.13)
【手続補正１】
【補正対象書類名】特許請求の範囲
【補正対象項目名】全文
【補正方法】変更
【補正の内容】
【特許請求の範囲】
【請求項１】
メッシュ構造（３，４）を有し、血管枝の領域の動脈瘤の閉塞に用いられるインプラント（１）において、前記インプラントが、近位から遠位に、区画（ｂ）〜（ｄ）：
（ｂ）インプラントを血管壁に支持することができる固定区画と、
（ｃ）前記血管分岐領域のための透過性区画と、
（ｄ）前記区画（ｂ）と比較してインプラントが半径方向に拡張し、前記動脈瘤（Ａ）内に留置されるようになっている遠位区画と、
を備え、
前記区画（ｃ）または（ｄ）の領域に、前記動脈瘤のネックを少なくとも部分的に閉鎖する分離域（Ｔ１、Ｔ２）が配置されており、前記遠位区画（ｄ）は区画（ｃ）に連結する複数のフィラメントおよび／またはループ（１２）を備え、前記フィラメント／ループ（１２）はインプラント（１）の長手方向軸に対して−４５〜＋１７５°の角度をなし、正の角度はフィラメント／ループが半径方向外側を向いていることを示し、負の角度はフィラメント／ループ（１２）が半径方向内側を向いていることを示す、
ことを特徴とするインプラント。
【請求項２】
前記動脈瘤が分岐部動脈瘤（Ａ）であることを特徴とする、請求項１に記載のインプラント。
【請求項３】
前記フィラメント／ループ（１２）が前記インプラント（１）の長手方向軸に対して＋４５°〜＋９０°の角度をなすことを特徴とする、請求項１または２に記載のインプラント。
【請求項４】
前記遠位区画（ｄ）の前記フィラメント／ループ（１２）がハトメ（１７）を備えることを特徴とする、請求項１〜３のいずれか一項に記載のインプラント。
【請求項５】
前記遠位区画（ｄ）の前記フィラメント／ループ（１２）が遠位端（１８）に丸みの付いた突出部を備えることを特徴とする、請求項１〜４のいずれか一項に記載のインプラント。
【請求項６】
前記ループ（１２）が内側に膜（１６）を備える、または前記フィラメント間に膜（１６）が張設されていることを特徴とする請求項１〜５のいずれか一項に記載のインプラント。
【請求項７】
前記フィラメント／ループ（１２）が、個々の連結点で区画（ｃ）に取り付けられていることを特徴とする請求項１〜６のいずれか一項に記載のインプラント。
【請求項８】
血管枝の領域の動脈瘤の閉塞に使用され、メッシュ構造（３、４）を有するインプラントであって、近位から遠位に、区画（ｂ）〜（ｄ）：
（ｂ）インプラントを血管壁に支持することができる固定区画、
（ｃ）血管分岐領域のための透過性区画、および
（ｄ）区画（ｂ）と比較してインプラントが拡張し、前記動脈瘤（Ａ）内に留置されるようになっている遠位区画、
を備え、
前記区画（ｃ）または（ｄ）の領域に、前記動脈瘤のネックを少なくとも部分的に閉鎖する分離域（Ｔ１、Ｔ２）が配置されており、前記遠位区画（ｄ）が球状、マッシュルーム状、錨状またはエリプソイド状に拡大していることを特徴とするインプラント。
【請求項９】
前記動脈瘤が分岐部動脈瘤（Ａ）であることを特徴とする、請求項８に記載のインプラント。
【請求項１０】
前記インプラント（１）が区画（ｂ）の近位に区画（ａ）を備え、前記区画（ａ）がテーパ状の近位区画であり、前記メッシュ構造（３、４）が集束し、１つまたは幾つかの結合要素（１０）の形態になっていることを特徴とする、請求項１〜９のいずれか一項に記載のインプラント。
【請求項１１】
前記結合要素（１０）が拡張した形態の前記インプラント（１）の周縁部に偏心して集束していることを特徴とする、請求項１０に記載のインプラント。
【請求項１２】
前記結合要素（１０）が、前記インプラント（１）の長手方向軸に対して、０°〜＋６０°、好ましくは＋１０〜＋３０°の角度をなし、正の角度は前記結合要素（１０）が外側を向いていることを特徴とする、請求項１１に記載のインプラント。
【請求項１３】
前記分離域（Ｔ１、Ｔ２）が、前記インプラント（１）の長手方向軸に垂直に配置されているフィラメント（６）からなる分離要素を備えることを特徴とする、請求項１〜１２のいずれか一項に記載のインプラント。
【請求項１４】
前記フィラメント（６）が、実質的に一平面内に延びていることを特徴とする、請求項１３に記載のインプラント。
【請求項１５】
前記分離域（Ｔ１、Ｔ２）が、インプラント（１）の長手方向軸に垂直に張設される膜（２４）を備えることを特徴とする請求項１〜１４のいずれか一項に記載のインプラント。
【請求項１６】
前記膜（２４）が、前記分離域（Ｔ１、Ｔ２）に配置されたフィラメント（６）に固定されていることを特徴とする請求項１５に記載のインプラント。
【請求項１７】
前記膜（２４）が近位方向に延びていることを特徴とする、請求項１５または１６に記載のインプラント。
【請求項１８】
前記膜（２４）が円錐形または角錐形であることを特徴とする、請求項１７に記載のインプラント。
【請求項１９】
前記膜（２４）が１つまたは幾つかの開口部（２５）を有する、または穿刺法により前記膜（２４）に１つまたは幾つかの開口部を形成できることを特徴とする、請求項１５〜１８のいずれか一項に記載のインプラント。
【手続補正書】
【提出日】平成28年8月25日(2016.8.25)
【手続補正１】
【補正対象書類名】明細書
【補正対象項目名】００３９
【補正方法】変更
【補正の内容】
【００３９】
しかしながら、金属チューブを実質的に完全に囲繞する各熱負荷が、単一の一体部品として設けられることが好まれる（該当する場合、エンドツーエンドスリットは除く）。熱負荷は、まずチューブを冷却し、負荷を暖め、次いでその後、負荷をチューブの上にスライドさせ位置決めすることによって、チューブの上に装着され得る。それに代わって、また更に好都合には、熱負荷は上述のようなエンドツーエンドスリットを備えてもよい。単純な楔を用いて、エンドツーエンドスリット（例えば図３ａに示すスリット６）はわずかに広げられ、それによって熱負荷の内部ボアの直径を増加させ得る。熱負荷は次いで、金属チューブに被せて容易に滑らされ得る。負荷が金属チューブのほどよい高さに位置決めされると、楔が取り外され、それによって熱負荷のボアの内径を減少させることができ、したがって、これによって金属チューブの外部表面が緊密に囲い込まれ得る。単一の一体部品からなる、そのような熱負荷は、先行技術で知られている熱負荷よりも容易に装着され得る。装着の容易さ、特に装着の間の楔を用いた展開は、上述のように、熱負荷の外側からボアへと、１つ以上の径方向スリットを設けることによって更に促進され得る。発明の実施態様の一部を以下の項目［１］−［２３］に記載する。
［１］
滅菌サイクルの非凝縮ガス除去段階の有効性及び／又は蒸気滅菌剤の品質を非凝縮ガスの含有量に関連して判断するために蒸気滅菌器において使用される滅菌剤検査装置であって、
一方の端部では滅菌剤を入れるために開放され、もう一方の端部では閉鎖されている自由空間を画定するボア（２）を有する金属チューブ（１）と、
前記チューブ（１）の周りに配置された少なくとも１つの熱負荷（３）と、を備える、滅菌剤検査装置。
［２］
前記金属チューブ（１）は、
３０Ｗｍ−１Ｋ−１以下、好ましくは２５Ｗｍ−１Ｋ−１以下、より好ましくは２０Ｗｍ−１Ｋ−１以下の熱伝導率を有する、項目１に記載の装置。
［３］
前記金属チューブ（１）は、
２Ｗｍ−１Ｋ−１以上、好ましくは４Ｗｍ−１Ｋ−１以上の熱伝導率を有する、項目２に記載の装置。
［４］
前記金属チューブ（１）は、１５ｃｍ以下、好ましくは１２ｃｍ以下、より好ましくは１０ｃｍ以下の長さを有する、項目１〜３のいずれかに記載の装置。
［５］
前記金属チューブは、２ｍｍ以下、好ましくは１．５ｍｍ以下、より好ましくは１ｍｍ以下、更に好ましくは０．５ｍｍ以下の肉厚を有する中空円筒である、項目１〜４のいずれかに記載の装置。
［６］
前記金属チューブの前記ボアは、２ｍｍ〜１２ｍｍ、好ましくは３．５ｍｍ〜１０．５ｍｍ、より好ましくは５ｍｍ〜８ｍｍの穴径を有する、項目１〜５のいずれかに記載の装置。
［７］
前記金属チューブの横断面は、２１０ｍｍ２以下、好ましくは１７０ｍｍ２以下、より好ましくは１４０ｍｍ２以下の面積を有する、項目１〜６のいずれかに記載の装置。
［８］
前記金属チューブの材料特性は、特に熱伝導性において、基本的に等方性である、項目１〜７のいずれかに記載の装置。
［９］
前記金属チューブは、ステンレス鋼、錆のない鋼、ＣｒＮｉ含有鋼、チタン、及びチタン合金から選択される１種類以上を備える、項目１〜８のいずれかに記載の装置。
［１０］
前記少なくとも１つの負荷（３）は、ボア（４）を有する、項目１〜９のいずれかに記載の装置。
［１１］
前記負荷の前記ボア（４）の寸法及び形状は、前記金属チューブ（１）の外側の寸法及び形状に概ね対応する、項目１０に記載の装置。
［１２］
前記少なくとも１つの負荷（３）の前記ボア（４）及び／又は前記少なくとも１つの負荷の前記ボアの表面は、前記金属チューブ（１）と間欠的に接触するように形成される、項目１０又は１１に記載の装置。
［１３］
前記少なくとも１つの負荷（３）の前記ボア（４）の表面は、横方向又は縦方向に延びる少なくとも１つの溝（５）、好ましくは、横方向及び／又は縦方向に延びる少なくとも２つの溝（５）を備え、前記溝（５）は好ましくは互いから等距離に離間している、項目１０〜１２のいずれかに記載の装置。
［１４］
前記少なくとも１つの負荷（３）は、円筒に実質的に対応する形状を有する、項目１０〜１３のいずれかに記載の装置。
［１５］
前記少なくとも１つの負荷（３）は、前記円筒の外部表面から前記円筒の前記ボア（４）に向かって延びる少なくとも１つの径方向スリット（６）を備える、項目１４に記載の装置。
［１６］
前記少なくとも１つの負荷（３）は２つ以上の径方向スリット（６）を備え、前記スリット（６）は互いに等距離に離間している、項目１５に記載の装置。
［１７］
断熱材料の箔又はシート（１５）が、前記チューブと前記少なくとも１つの負荷との間に設けられる、項目１〜１６のいずれかに記載の装置。
［１８］
前記箔又はシート（１５）は、ポリエステル、ポリプロピレン、ポリアクリロニトリル、カプトン、ポリウレタン、ポリアミド、ポリイミド、ポリエーテルイミド、ＰＴＦＥ、ポリ塩化ビニル、ポリカーボネート、エポキシ樹脂、ポリメタクリル酸メチル、ポリエチレン、及びポリスチレンのうちの１種類又はそれらの組み合わせを含む、項目１７に記載の装置。
［１９］
前記箔又はシート（１５）は、前記チューブの熱伝導率よりも低い熱伝導率を有する材料、好ましくは、５Ｗｍ−１Ｋ−１以下、より好ましくは１Ｗｍ−１Ｋ−１以下の熱伝導率を有する材料を含む、項目１７又は１８に記載の装置。
［２０］
前記箔又はシート（１５）は、前記チューブと前記少なくとも１つの負荷との間の熱結合を調節するために、複数の穴及び／又は切込みを備える、項目１７〜１９のいずれかに記載の装置。
［２１］
前記少なくとも１つの負荷は、２５℃で少なくとも０．５Ｊｇ−１Ｋ−１、好ましくは少なくとも０．７Ｊｇ−１Ｋ−１、より好ましくは少なくとも０．８５Ｊｇ−１Ｋ−１の熱容量を有する、項目１〜２０のいずれかに記載の装置。
［２２］
前記少なくとも１つの負荷は、アルミニウムを含むか又はアルミニウムからなる、項目１〜２１のいずれかに記載の装置。
［２３］
前記金属チューブの開放端部（８）はテーパ状である、項目１〜２２のいずれかに記載の装置。
【手続補正２】
【補正対象書類名】特許請求の範囲
【補正対象項目名】全文
【補正方法】変更
【補正の内容】
【特許請求の範囲】
【請求項１】
滅菌サイクルの非凝縮ガス除去段階の有効性及び／又は蒸気滅菌剤の品質を非凝縮ガスの含有量に関連して判断するために蒸気滅菌器において使用される滅菌剤検査装置であって、
一方の端部では滅菌剤を入れるために開放され、もう一方の端部では閉鎖されている自由空間を画定するボア（２）を有する金属チューブ（１）と、
前記チューブ（１）の周りに配置された少なくとも１つの熱負荷（３）と、を備える、滅菌剤検査装置。